(57)【要約】【課題】表示領域の視野を妨げることなく、また、コストアップを伴うことなく、表示領域内の表示電極配線と、その周りの非表示領域に形成される引き回し配線との配線密度の相違による見栄えを改善する。【解決手段】それぞれが互いに直交する方向に沿って形成された帯状をなす複数本の表示電極１１，２１を有する２枚の基板が周辺シール材４０を介して圧着され、対向する表示電極１１，２１を含む表示領域５０と周辺シール材４０との間に非表示領域６０が存在し、表示電極１１と直交する側の非表示領域６１，６２に、各表示電極１１から細幅として引き出された引き回し配線１２が形成されているとともに、非表示領域６０の周辺シール材４０側の一部分が額縁枠によって環状に覆われている液晶表示パネルにおいて、引き回し配線１２を非表示領域６１，６２のうちの額縁枠にて覆われる部分に配置し、かつ、各表示電極１１を表示領域５０から少なくとも額縁枠の内縁ＢＬに至る部分にまで、その帯状の幅を変えることなく引き出す。【選択図】図２
2008275841.tif 000002
【特許請求の範囲】
【請求項１】
それぞれが互いに直交する方向に沿って形成された帯状をなす複数本の表示電極を有する第１基板と第２基板とが周辺シール材を介して対向的に圧着され、対向する上記表示電極を含む表示領域と上記周辺シール材との間に表示に寄与しない非表示領域が存在し、上記表示電極と直交する側の上記非表示領域に、上記各表示電極から細幅として引き出された引き回し配線が形成されているとともに、上記非表示領域の上記周辺シール材側の一部分が額縁枠によって環状に覆われている液晶表示パネルにおいて、
上記引き回し配線が上記非表示領域のうちの上記額縁枠にて覆われる部分に配置され、上記各表示電極が上記表示領域から少なくとも上記額縁枠の内縁に至る部分にかけて、その帯状の幅を変えることなく引き出されている上記表示電極の延長部分を備えていることを特徴とする液晶表示パネル。
【請求項２】
上記額縁枠の内縁と上記表示領域との間で、上記表示電極の延長部分が存在しない所定の部分には、上記表示電極とほぼ同幅のダミー電極が上記表示領域とほぼ同一の線密度で形成されていることを特徴とする請求項１に記載の液晶表示パネル。
【発明の詳細な説明】
【技術分野】
【０００１】
本発明は、液晶表示パネルに関し、さらに詳しく言えば、表示電極よりなるアクティブな表示領域と、その周りに存在する非表示領域に形成される表示電極の引き回し配線との配線密度の相違による見栄えを改善する技術に関するものである。
【背景技術】
【０００２】
単純マトリクス表示型の液晶表示パネルでは、Ｘ方向に沿って互いに平行に延びる帯状の表示電極と、これとは直交するＹ方向に沿って互いに平行に延びる帯状の表示電極とにより、その交点部分を１画素とする表示領域が形成される。表示領域の周りには、表示に寄与しない非表示領域が設けられ、この非表示領域に表示電極の引き回し配線が形成される。
【０００３】
その具体的な従来例の構成を図３および図４により説明する。なお、図３は液晶表示パネルの構成を模式的に示す正面図で、図４は図３中の丸囲み部分Ｃの拡大図である。
【０００４】
液晶表示パネル１は、第１および第２の２枚の基板１０，２０を備える。この場合、第１基板１０は図３の紙面手前側に位置するフロント側の基板で、第２基板２０はその背面側に位置するリア側の基板である。
【０００５】
この例では、第２基板２０側に端子部２０ａが連設されており、第２基板２０は端子部２０ａを有する分第１基板１０よりもサイズが大きい。この液晶表示パネル１はＣＯＧ（Ｃｈｉｐ  Ｏｎ  Ｇｌａｓｓ）型であり、端子部２０ａには表示駆動用のチップ部品３０が実装されている。
【０００６】
第１基板１０と第２基板２０は、第１基板１０の周縁に沿って塗布された周辺シール材４０を介して圧着されている。なお、作図の都合上、図３には周辺シール材４０が一部分しか示されていないが、周辺シール材４０は第１基板１０の全周に沿って存在しており、これによって囲まれたセル内に所定の液晶物質が封入されている。
【０００７】
第１基板１０と第２基板２０の各内面には、ＩＴＯ（Ｉｎｄｉｕｍ  Ｔｉｎ  Ｏｘｉｄｅ）からなる表示電極がそれぞれ形成されている。単純マトリクス表示の場合、一方の基板側の表示電極が走査電極、他方の基板側の表示電極が信号電極として用いられる。
【０００８】
この例では、第１基板１０側にＸ方向に沿って一方の表示電極１１が多数本帯状として互いに平行に形成され、第２基板２０側にはＸ方向と直交するＹ方向に沿って他方の表示電極２１（図４参照）が多数本帯状として互いに平行に形成されている。なお、以下の説明において、一方の表示電極１１をＸ表示電極，他方の表示電極２１をＹ表示電極ということがある。
【０００９】
これら表示電極１１，２１により、パネル面内に各電極交点部分を１画素とするアクティブな表示領域５０が形成される。表示領域５０の周り、すなわち表示領域５０と周辺シール材４０との間には、表示に寄与しない非表示領域６０が設けられ、この非表示領域６０に表示電極１１，２１の引き回し配線１２，２２が形成される。
【００１０】
このうち、Ｙ表示電極２１の引き回し配線２２は、表示領域５０の図３において下辺側の非表示領域６０内で端子部２０ａの中央部分に集められ、図示されていないが、そこから直接に端子部２０ａ上に引き出されてチップ部品３０の所定の信号出力端子に接続される。
【００１１】
これに対して、第１基板１０側では、特許文献１に記載されているように、表示領域５０内を仮想的に上下の２つの表示領域５１，５２に分け、上側の表示領域５１に含まれるＸ表示電極１１については、その引き回し配線１２を図３において右側の非表示領域６１に形成し、下側の表示領域５２に含まれるＸ表示電極１１については、その引き回し配線１２を図３において左側の非表示領域６２に形成するようにしている。
【００１２】
なお、右側の非表示領域６１と左側の非表示領域６２とに形成された各引き回し配線１２，１２は、周辺シール材４０に設けられている図示しないトランスファを介して端子部２０ａの両側に集められ、そこから図示しないリード配線を介してチップ部品３０の所定の信号出力端子に接続される。
【００１３】
【特許文献１】特開２００３−５７６８０号公報
【発明の開示】
【発明が解決しようとする課題】
【００１４】
しかしながら、図４に拡大して示すように、引き回し配線１２，２２は表示電極１１，２１から細幅として引き出され、また、その線間ピッチも表示領域５０内と異なることから、特に表示領域５０と、その両側に存在する非表示領域６１，６２とで配線密度が異なっている。
【００１５】
そのため、無点灯時の背景色が表示領域５０と非表示領域６１，６２とで異色を呈し、見栄え上好ましくない。この異色はＸ表示電極１１と引き回し配線１２との折り曲がり部分に沿って斜めに現れる。
【００１６】
この点を解決するには、最終製品形態とする際に液晶表示パネル１に被せられるベゼルと呼ばれる図示しない額縁枠の内縁を表示領域５０の大きさとして、その額縁枠にて非表示領域６１，６２を隠せばよい。
【００１７】
しかしながら、そうすると額縁枠の板厚が表示領域５０に対する視野の妨げになることがあり好ましくない。すなわち、表示領域５０を真正面から観察する場合には問題ないが、表示領域５０を斜め方向から観察する場合に、表示領域５０の縁部分の表示が額縁枠の板厚の陰となってしまう。
【００１８】
また、別の解決策として、非表示領域６１，６２を含む非表示領域６０全体にブラックマスクを形成する方法もあるが、無点灯時の背景色がノーマリーホワイトの場合には、ブラックマスクとのコントラストが強すぎになり、また、ブラックマスクを形成する分コストアップになるため、好ましい解決策とは言えない。
【００１９】
したがって、本発明の課題は、表示領域の視野を妨げることなく、また、コストアップを伴うことなく、表示領域内の表示電極配線と、その周りの非表示領域に形成される引き回し配線との配線密度の相違による見栄えを改善することにある。
【課題を解決するための手段】
【００２０】
上記課題を解決するため、本発明は、請求項１に記載されているように、それぞれが互いに直交する方向に沿って形成された帯状をなす複数本の表示電極を有する第１基板と第２基板とが周辺シール材を介して対向的に圧着され、対向する上記表示電極を含む表示領域と上記周辺シール材との間に表示に寄与しない非表示領域が存在し、上記表示電極と直交する側の上記非表示領域に、上記各表示電極から細幅として引き出された引き回し配線が形成されているとともに、上記非表示領域の上記周辺シール材側の一部分が額縁枠によって環状に覆われている液晶表示パネルにおいて、上記引き回し配線が上記非表示領域のうちの上記額縁枠にて覆われる部分に配置され、上記各表示電極が上記表示領域から少なくとも上記額縁枠の内縁に至る部分にかけて、その帯状の幅を変えることなく引き出されている上記表示電極の延長部分を備えていることを特徴としている。
【００２１】
本発明の好ましい態様によれば、請求項２に記載されているように、上記額縁枠の内縁と上記表示領域との間で、上記表示電極の延長部分が存在しない所定の部分には、上記表示電極とほぼ同幅のダミー電極が上記表示領域とほぼ同一の線密度で形成される。
【発明の効果】
【００２２】
本発明によれば、引き回し配線を非表示領域のうちの額縁枠にて覆われる部分に配置する一方で、各表示電極を表示領域から少なくとも額縁枠の内縁に至る部分にまでその帯状の幅を変えることなく引き出すようにしたことにより、額縁枠内において非表示領域と表示領域の配線密度がほぼ同じとなり、無点灯時の背景色を均一にすることができ、その見栄えが改善される。
【発明を実施するための最良の形態】
【００２３】
次に、図１および図２により、本発明の実施形態について説明する。図１は本発明の実施形態に係る液晶表示パネルを模式的に示した正面図、図２（Ａ）は図１中の丸囲み部分Ａの拡大図，図２（Ｂ）は図１中の丸囲み部分Ｂの拡大図である。なお、この実施形態の説明において、先の図３，図４で説明した従来例と同一もしくは同一と見なされてよい構成要素には同じ参照符号を付している。
【００２４】
図１に示すように、この液晶表示パネル１Ａは、第１および第２の２枚の基板１０，２０を備えているが、この場合においても、第１基板１０は図１の紙面手前側に位置するフロント側の基板で、第２基板２０はその背面側に位置するリア側の基板である。
【００２５】
この実施形態においても、第２基板２０側に端子部２０ａが連設されており、第２基板２０は端子部２０ａを有する分第１基板１０よりもサイズが大きい。この実施形態における液晶表示パネル１Ａは、端子部２０ａに表示駆動用のチップ部品３０が実装されているＣＯＧ型であるが、チップ部品が実装されたフレキシブル基板（ＣＯＦ）などが端子部２０ａに接続されてもよい。
【００２６】
第１基板１０と第２基板２０は、第１基板１０の周縁に沿って塗布された周辺シール材４０を介して圧着されている。なお、作図の都合上、図１においても周辺シール材４０が一部分しか示されていないが、周辺シール材４０は第１基板１０の全周に沿って存在しており、これによって囲まれたセル内に所定の液晶物質が封入されている。
【００２７】
第１基板１０と第２基板２０の各内面には、ＩＴＯ（Ｉｎｄｉｕｍ  Ｔｉｎ  Ｏｘｉｄｅ）からなる表示電極がそれぞれ形成されている。単純マトリクス表示の場合、先にも説明したように、一方の基板側の表示電極が走査電極、他方の基板側の表示電極が信号電極として用いられる。
【００２８】
この例では、第１基板１０側にＸ方向に沿って一方の表示電極１１が多数本帯状として互いに平行に形成され、第２基板２０側にはＸ方向と直交するＹ方向に沿って他方の表示電極２１（図２参照）が多数本帯状として互いに平行に形成されている。なお、この実施形態の説明においても、一方の表示電極１１をＸ表示電極，他方の表示電極２１をＹ表示電極ということがある。
【００２９】
これら表示電極１１，２１により、パネル面内に各電極交点部分を１画素とするアクティブな表示領域５０が形成される。表示領域５０の周り、すなわち表示領域５０と周辺シール材４０との間には、表示に寄与しない非表示領域６０が設けられ、この非表示領域６０に表示電極１１，２１の引き回し配線が形成される。
【００３０】
なお、図１には表示電極１１の引き回し配線１２のみが示され、表示電極２１の引き回し配線２２は図示されていないが、表示電極２１の引き回し配線２２には、先に説明した図３と同じ配線形態であってよい。また、各引き回し配線１２，２２とチップ部品３０との接続関係も先に説明した従来例と同じであってよい。
【００３１】
この実施形態においても、第１基板１０側では、表示領域５０内が仮想的に上下の２つの表示領域５１，５２に分けられ、各表示領域５１，５２内のＸ表示電極１１の引き回し配線１２は、Ｘ表示電極１１と直交する側の非表示領域６０に形成される。
【００３２】
すなわち、上側の表示領域５１に含まれるＸ表示電極１１の引き回し配線１２は図１において右側の非表示領域６１に形成され、下側の表示領域５２に含まれるＸ表示電極１１の引き回し配線１２は図１において左側の非表示領域６２に形成される。
【００３３】
この液晶表示パネル１Ａには、最終製品形態とされる際にベゼルと呼ばれる図示しない額縁枠が被せられるが、図１および図２（Ａ）（Ｂ）に、その額縁枠の内縁をベゼルラインＢＬとして示す。
【００３４】
この場合、額縁枠は表示領域５０の視野の妨げとならないように、非表示領域６０の上記周辺シール材側の一部分を環状に覆う大きさで、ベゼルラインＢＬは表示領域５０の外側に位置している。
【００３５】
図２（Ａ）（Ｂ）を参照して、本発明では、外部に露出されるベゼルラインＢＬ内において、表示領域５０と非表示領域６０の配線密度が同じとなるように、まず、右側の非表示領域６１および左側の非表示領域６２ともに、Ｘ表示電極１１の引き回し配線１２をベゼルラインＢＬの外側、すなわち額縁枠にて覆われる部分に配置して外部から見えないようにする。
【００３６】
これに伴って、各Ｘ表示電極１１を表示領域５０から少なくともベゼルラインＢＬに至るまで帯状の幅およびその配線ピッチを変えることなくそのまま引き出す。
【００３７】
これにより、非表示領域６１，６２のうち、外部に露出されるベゼルラインＢＬよりも内側部分がＸ表示電極１１の延長部分１１ａにて埋め尽くされ、表示領域５０内とほぼ同じ配線密度になる。
【００３８】
換言すれば、Ｘ表示電極１１の引き回し配線１２は、ベゼルラインＢＬの外側においてＸ表示電極１１から細幅として引き出される。
【００３９】
なお、Ｘ表示電極１１の引き回し配線１２をベゼルラインＢＬの外側、すなわち額縁枠にて覆われる部分に配置すると、特に右側の非表示領域６１におけるベゼルラインＢＬの内側（下側の表示領域５２の右側）は無配線部分となる。また、表示領域５０の下辺側の非表示領域６０も、表示領域５０とは異なる配線密度となるおそれがある。
【００４０】
そのため、Ｘ表示電極１１の延長部分１１ａが形成されない右側の非表示領域６１におけるベゼルラインＢＬの内側および表示領域５０の下辺側には、図２（Ａ）（Ｂ）に示すように、Ｘ表示電極１１とほぼ同幅で、かつ、同一ピッチのダミー電極１３を形成することが好ましい。
【００４１】
このダミー電極１３は、表示に寄与しない電極で、走査電極もしくは信号電極のいずれにも含まれない電極であるため、ベゼルラインＢＬの内側の外部に露出される部分に均一に形成されてもよい。
【図面の簡単な説明】
【００４２】
【図１】本発明の実施形態に係る液晶表示パネルを模式的に示した正面図。
【図２】（Ａ）は図１中の丸囲み部分Ａを示す拡大図，（Ｂ）は図１中の丸囲み部分Ｂを示す拡大図。
【図３】従来の液晶表示パネルの構成を模式的に示す正面図。
【図４】図３中の丸囲み部分Ｃを示す拡大図。
【符号の説明】
【００４３】
１Ａ  液晶表示パネル
１０  第１基板
１１  Ｘ表示電極
１１ａ  Ｘ表示電極の延長部分
１２  引き回し配線
１３  ダミー電極
２０  第２基板
２０ａ  端子部
２１  Ｙ表示電極
３０  チップ部品
５０  表示領域
６０  非表示領域
６１  右側の非表示領域
６２  左側の非表示領域
ＢＬ  ベゼルライン
【図１】
2008275841.tif 000003
【図２】
2008275841.tif 000004
【図３】
2008275841.tif 000005
【図４】
2008275841.tif 000006